(57)【要約】【課題】雄コネクタの大型化を回避しつつ触指対策を行う。【解決手段】本明細書によって開示されるコネクタ１０は、互いに嵌合可能な雄コネクタ２０と雌コネクタ５０とを備えたコネクタ１０であって、雄コネクタ２０は、雄端子３０と、フード部２２を有し、雄端子３０を保持する雄ハウジング２１とを備え、雌コネクタ５０は、雄端子３０が接続される接続部６１を有する雌端子６０と、フード部２２の内部に嵌合可能な雌端子収容部を有し、前記雌端子を保持する雌ハウジングとを備え、前記フード部の内面には、前記雄端子に向けて突出する突部が設けられ、前記雌端子収容部には、前記突部を挿通させるスリットが設けられており、前記接続部には、前記スリットを挿通して前記雌端子収容部の内部に突出した前記突部を逃がす逃がし凹部が設けられている構成とした。【選択図】図３
2018041540.tif 000002
【特許請求の範囲】
【請求項１】
互いに嵌合可能な雄コネクタと雌コネクタとを備えたコネクタであって、
前記雄コネクタは、雄端子と、フード部を有し、前記雄端子を保持する雄ハウジングとを備え、
前記雌コネクタは、前記雄端子が接続される接続部を有する雌端子と、前記フード部の内部に嵌合可能な雌端子収容部を有し、前記雌端子を保持する雌ハウジングとを備え、
前記フード部の内面には、前記雄端子に向けて突出する突部が設けられ、
前記雌端子収容部には、前記突部を挿通させるスリットが設けられており、
前記接続部には、前記スリットを挿通して前記雌端子収容部の内部に突出した前記突部を逃がす逃がし凹部が設けられているコネクタ。
【請求項２】
前記接続部は、筒状をなす角筒部と、前記角筒部の内部に配設された弾性部材とを備え、前記逃がし凹部は、前記角筒部を板厚方向に貫通して設けられている請求項１に記載のコネクタ。
【請求項３】
前記弾性部材は、前記角筒部の内面に沿って配される基板部と、前記基板部から前記角筒部の内部に延出されたばね部とを備え、前記逃がし凹部の一端側開口には、前記基板部が配設されている請求項２に記載のコネクタ。
【発明の詳細な説明】
【技術分野】
【０００１】
本明細書によって開示される技術は、コネクタに関する。
【背景技術】
【０００２】
従来、フード部を有する雄コネクタとして、例えば特開２００６−１１４２８７号公報（下記特許文献１）に記載のものが知られている。この雄コネクタは、雄ハウジングと、雄ハウジング内に収容された雄端子金具とを備えている。雄ハウジングは、雄端子金具が収容される端子収容部と、その前方に形成された筒状のフード部とを有している。雄端子金具は、フード部の奥壁から前方に突出した嵌合部を有している。一方、雄端子金具に接続される雌端子金具は、嵌合部と接続される箱形の接続部を有している。
【先行技術文献】
【特許文献】
【０００３】
【特許文献１】特開２００６−１１４２８７号公報
【発明の概要】
【発明が解決しようとする課題】
【０００４】
上記の雄コネクタにおいて雄端子金具に対する触指対策を設ける場合、フード部の内面にリブを設けることが考えられる。このようにすると、指がフード部の前方から進入しようとした場合に、指がリブに当たることで雄端子金具との接触を回避することができる。
【０００５】
しかしながら、フード部の内面にリブを設けると、雌端子金具の接続部もしくは接続部を収容するハウジングがリブと干渉することになるため、安易にリブを設けることができない。そこで、リブの代わりに、フード部を前方に延長することで触指対策を行った場合、雄コネクタが前後方向に長くなるため、得策とはいえない。このように、雄コネクタの大型化を回避しつつ触指対策としてのリブを設ける方法が確立されていなかった。
【課題を解決するための手段】
【０００６】
本明細書によって開示されるコネクタは、互いに嵌合可能な雄コネクタと雌コネクタとを備えたコネクタであって、前記雄コネクタは、雄端子と、フード部を有し、前記雄端子を保持する雄ハウジングとを備え、前記雌コネクタは、前記雄端子が接続される接続部を有する雌端子と、前記フード部の内部に嵌合可能な雌端子収容部を有し、前記雌端子を保持する雌ハウジングとを備え、前記フード部の内面には、前記雄端子に向けて突出する突部が設けられ、前記雌端子収容部には、前記突部を挿通させるスリットが設けられており、前記接続部には、前記スリットを挿通して前記雌端子収容部の内部に突出した前記突部を逃がす逃がし凹部が設けられている構成とした。
【０００７】
このような構成によると、フード部の内面に突部が設けられているから、指が突部に干渉することで触指対策が可能になる。また、雄コネクタと雌コネクタを嵌合させると、突部がスリットと逃がし凹部に進入することで嵌合が行われる。したがって、雄コネクタの大型化を回避しつつ触指対策を行うことができる。
【０００８】
本明細書によって開示されるコネクタは、以下の構成としてもよい。
前記接続部は、筒状をなす角筒部と、前記角筒部の内部に配設された弾性部材とを備え、前記逃がし凹部は、前記角筒部を板厚方向に貫通して設けられている構成としてもよい。
このような構成によると、角筒部に有底の凹部を設ける場合よりも角筒部を小型化することができる。
【０００９】
前記弾性部材は、前記角筒部の内面に沿って配される基板部と、前記基板部から前記角筒部の内部に延出されたばね部とを備え、前記逃がし凹部の一端側開口には、前記基板部が配設されている構成としてもよい。
このような構成によると、逃がし凹部に突部が進入した際に、基板部によって突部がばね部に接触することを防止できるから、突部によってばね部が損傷することを回避できる。
【発明の効果】
【００１０】
本明細書によって開示されるコネクタによれば、雄コネクタの大型化を回避しつつ触指対策を行うことができる。
【図面の簡単な説明】
【００１１】
【図１】コネクタの平面図
【図２】図２におけるＡ−Ａ線断面図
【図３】図２におけるＢ−Ｂ線断面図
【図４】雌コネクタの斜視図
【図５】雌コネクタの平面図
【図６】図５におけるＣ−Ｃ線断面図
【図７】図５におけるＤ−Ｄ線断面図
【図８】雄コネクタの平面図
【図９】図８におけるＥ−Ｅ線断面図
【図１０】図８におけるＦ−Ｆ線断面図
【図１１】雄コネクタの正面図
【図１２】雌端子の斜視図
【図１３】雌端子の平面図
【図１４】図１３におけるＧ−Ｇ線断面図
【発明を実施するための形態】
【００１２】
＜実施形態＞
実施形態を図１から図１４の図面を参照しながら説明する。本実施形態におけるコネクタ１０は、図１および図２に示すように、互いに嵌合可能な雄コネクタ２０と雌コネクタ５０とを備えて構成されている。以下においては、雄コネクタ２０と雌コネクタ５０の嵌合方向を前後方向とし、互いの嵌合面側を前側として説明する。
【００１３】
雄コネクタ２０は、図８および図９に示すように、合成樹脂製の雄ハウジング２１を有し、雄ハウジング２１には、前方に開口する形態をなすフード部２２、基端壁２３などが設けられている。フード部２２は、基端壁２３から前方に突出する形態をなし、図１１に示すように、ほぼ角筒状をなしている。フード部２２の内部における底壁２２Ａには、一対のガイドリブ２４が設けられ、フード部２２の内部における両側壁２２Ｂにも、一対のガイドリブ２４が設けられている。
【００１４】
フード部２２の天井壁２２Ｃには、下方に凹んだ形状をなすロック凹部２５が設けられている。ロック凹部２５は、上方に開口する形態なし、その上端開口部にロック受け部２５Ａが設けられている。ロック受け部２５Ａは、ロック凹部２５の上端開口部に架設されたつなぎ部２５Ｃから下方に突出する形態をなしている。一方、ロック凹部２５の底壁２５Ｂには、突部２６が設けられている。突部２６は、ロック凹部２５の底壁２５Ｂの下面から下方に突出する形態をなしている。
【００１５】
フード部２２の内部には、雄端子３０が設けられている。雄端子３０は、図１０に示すように、突部２６とその下方に位置する一対のガイドリブ２４とによって上下両側から囲まれ、左右一対のガイドリブ２４によって左右両側から囲まれた位置に配されている。雄端子３０は平板状をなし、図９に示すように、基端壁２３を貫通するとともに基端壁２３から前方に突出する形態をなしている。
【００１６】
雄端子３０の前端は、フード部２２の前後方向における中央付近に位置しており、突部２６の前端よりも後方に位置している。突部２６の前端位置は、フード部２２の前後方向における各ガイドリブ２４の前端位置とほぼ同じとされている。これにより、雄端子３０に対して前方から指が近づいた場合には、指が突部２６の前端もしくは各ガイドリブ２４の前端に当接することで指の進入が停止され、指が雄端子３０に接触することが回避される。
【００１７】
仮に、突部２６が設けられていないとした場合、その分だけ指がフード部２２の奥深くまで進入しやすくなるため、雄端子３０との接触を回避するためには、フード部を前後方向にさらに長くして雄端子３０をさらに後方に配設する必要がある。その点、本実施形態では突部２６を設けたことで指の進入がフード部２２の開口部付近に留められ、フード部２２を前後方向に長くしなくてもよいため、突部２６が設けられていない場合と比べてフード部２２の小型化が可能になり、雄コネクタ２０の小型化が可能になる。
【００１８】
雌コネクタ５０は、図４から図７に示すように、合成樹脂製の雌ハウジング５１を有し、雌ハウジング５１の内部には、雌端子６０が収容されている。雌ハウジング５１のうち雌端子６０が内部に収容された部分は、雌端子収容部５８とされている。雌端子収容部５８は、雄コネクタ２０のフード部２２の内部に嵌合可能とされている。
【００１９】
雌端子収容部５８は、前後方向に長いブロック状とされ、雌端子収容部５８の上面にはロックアーム５２が設けられている。ロックアーム５２の自由端部には、雄コネクタ２０のロック受け部２５Ａと係止可能なロック係止部５２Ａが設けられている。また、ロックアーム５２におけるロック係止部５２Ａの後方には、ロック係止部５２Ａとロック受け部２５Ａの係止を解除するための解除操作部５２Ｂが設けられている。解除操作部５２Ｂを下方に押し込むことでロック係止部５２Ａが下方に変位し、ロック受け部２５Ａとの係止を解除することができる。
【００２０】
図５に示すように、ロックアーム５２の両側には、一対の保護壁５３が設けられている。保護壁５３は、雌端子収容部５８の上面から上方に突出し、前後方向に延びる形態で設けられている。保護壁５３の前端は、ロックアーム５２の前端よりも前方とされ、図６に示すように、保護壁５３の上端は、ロックアーム５２のロック係止部５２Ａの上端と同じ高さとされ、解除操作部５２Ｂの上端よりも下方とされている。
【００２１】
また、雌端子収容部５８の前面には、雄端子３０を挿通させる端子挿通孔５７が設けられている。また、雌ハウジング５１の底面には、複数のガイド溝５４が凹設されている。雌ハウジング５１の両側面にも、ガイド溝５４が１つずつ設けられている。各ガイド溝５４は、雄コネクタ２０のフード部２２の内部に雌端子収容部５８が嵌合することで、各ガイドリブ２４が嵌合するものとされている。したがって、雌ハウジング５１を誤って上下逆にフード部２２の内部に嵌合させようとした場合に、各ガイドリブ２４が各ガイド溝５４に嵌合しないことで誤嵌合が防止される。
【００２２】
雌端子６０は、図１２に示すように、雄端子３０が接続される接続部６１を有している。接続部６１は、筒状をなす角筒部６２と、角筒部６２の内部に配設された弾性部材６３とを備えている。
【００２３】
角筒部６２は、底壁６２Ａと、底壁６２Ａの両側縁から立ち上がる一対の側壁６２Ｂと、一方の側壁６２Ｂの上縁から他方の側壁６２Ｂの上縁に向けて延びる一対の天井壁６２Ｃとを備えて構成されている。一対の天井壁６２Ｃは、所定の間隔を空けて配されており、一対の天井壁６２Ｃの間は逃がし凹部６５とされている。つまり、逃がし凹部６５は、角筒部６２を板厚方向に貫通して設けられている。
【００２４】
弾性部材６３は、天井壁６２Ｃの前端部の内面（下面）に沿って配される基板部６３Ａと、基板部６３Ａの後縁から後方に向けて略Ｖ字形をなすように角筒部６２の内部に延出されたばね部６３Ｂとを備えて構成されている。弾性部材６３の板厚は角筒部６２の板厚よりも薄いものとされている。しかしながら、弾性部材６３を構成する金属（例えばＳＵＳ）は、角筒部６２を構成する金属（例えば銅または銅合金）よりも剛性が高いため、角筒部６２よりも板厚が薄くても十分な接触圧を確保できるものとされている。
【００２５】
図７に示すように、弾性部材６３は、一対の抜止部６４を有している。一対の抜止部６４は、基板部６３Ａの各側縁に一つずつ配されている。一方、角筒部６２の両側壁６２Ｂには、一対の抜止孔６８が設けられている。一対の抜止部６４を一対の抜止孔６８に嵌め込んで係止させることにより、弾性部材６３が角筒部６２の内部に保持される。
【００２６】
また、角筒部６２の底壁６２Ａには、一対の接点突部６６が設けられている。接点突部６６は、天井壁６２Ｃ側に突出する態様で前後方向に延びて設けられている。底壁６２Ａにおける一対の接点突部６６の間には、雌ハウジング５１に設けられたランス５６が係止するランスホール６７が設けられている。ランス５６がランスホール６７の内壁に係止することにより、雌端子６０が雌ハウジング５１の内部に保持されている。
【００２７】
図２に示すように、雌端子６０の接続部６１の内部に雄端子３０を嵌合させると、雄端子３０が弾性部材６３によって下方に押圧され、雄端子３０が雌端子６０の一対の接点突部６６に弾性的に接触することで、雄端子３０と雌端子６０が導通可能に接続される。つまり、弾性部材６３は雄端子３０と雌端子６０との接触圧を付与する付勢部材として機能しており、雄端子３０と雌端子６０の間の電気的な接続は雄端子３０と一対の接点突部６６との間で行われる。
【００２８】
さて、図７に示すように、雌ハウジング５１の上面には、雄コネクタ２０の突部２６を挿通させるスリット５５が設けられている。スリット５５は、雌ハウジング５１の前面から上面にかけて設けられ、雌ハウジング５１の内外を貫通する形態とされている。逃がし凹部６５の幅寸法は、雌ハウジング５１のスリット５５の幅寸法と一致している。また、逃がし凹部６５を構成する内側面とスリット５５を構成する内側面とは上下方向に並んで配されている。
【００２９】
逃がし凹部６５の下側開口には、弾性部材６３の基板部６３Ａが配設されている。図３に示すように、雄ハウジング２１のフード部２２の突部２６がスリット５５と逃がし凹部６５に進入した際に、突部２６の下面が基板部６３Ａの上面とほぼ隙間のない状態で対向して配されるものの、雌端子６０の内部に突部２６が進入することはないため、雄端子３０と一対の接点突部６６との電気的な接続に影響を与えることはない。
【００３０】
以上のように本実施形態では、フード部２２の内面に突部２６が設けられているから、指が突部２６に干渉することで触指対策が可能になる。また、雄コネクタ２０と雌コネクタ５０を嵌合させると、突部２６がスリット５５と逃がし凹部６５に進入することで嵌合が行われる。したがって、雄コネクタ２０の大型化を回避しつつ触指対策を行うことができる。
【００３１】
接続部６１は、筒状をなす角筒部６２と、角筒部６２の内部に配設された弾性部材６３とを備え、逃がし凹部６５は、角筒部６２を板厚方向に貫通して設けられている構成としてもよい。
このような構成によると、角筒部に有底の凹部を設ける場合よりも角筒部６２を小型化することができる。
【００３２】
弾性部材６３は、角筒部６２の内面に沿って配される基板部６３Ａと、基板部６３Ａから角筒部６２の内部に延出されたばね部６３Ｂとを備え、逃がし凹部６５の一端側開口には、基板部６３Ａが配設されている構成としてもよい。
このような構成によると、逃がし凹部６５に突部２６が進入した際に、基板部６３Ａによって突部２６がばね部６３Ｂに接触することを防止できるから、突部２６によってばね部６３Ｂが損傷することを回避できる。
【００３３】
＜他の実施形態＞
本明細書によって開示される技術は上記記述及び図面によって説明した実施形態に限定されるものではなく、例えば次のような種々の態様も含まれる。
（１）上記実施形態では弾性部材６３が角筒部６２とは別体に設けられているものの、弾性部材を角筒部と一体に設けてもよい。
【００３４】
（２）上記実施形態では逃がし凹部６５の下側開口に基板部６３Ａが配設されているものの、基板部６３Ａを角筒部６２の底壁６２Ａに沿って配設してもよい。
【符号の説明】
【００３５】
１０…コネクタ
２０…雄コネクタ
２１…雄ハウジング
２２…フード部
２６…突部
３０…雄端子
５０…雌コネクタ
５１…雌ハウジング
５５…スリット
６０…雌端子
６１…接続部
６２…角筒部
６３…弾性部材
６３Ａ…基板部
６３Ｂ…ばね部
６５…逃がし凹部
【図１】
2018041540.tif 000003
【図２】
2018041540.tif 000004
【図３】
2018041540.tif 000005
【図４】
2018041540.tif 000006
【図５】
2018041540.tif 000007
【図６】
2018041540.tif 000008
【図７】
2018041540.tif 000009
【図８】
2018041540.tif 000010
【図９】
2018041540.tif 000011
【図１０】
2018041540.tif 000012
【図１１】
2018041540.tif 000013
【図１２】
2018041540.tif 000014
【図１３】
2018041540.tif 000015
【図１４】
2018041540.tif 000016